(57)【特許請求の範囲】
【請求項１】
発信者の電話番号と名前とを含むメッセージを着信信号を用いて通知するネットワークで用いられる通信端末装置において、
前記メッセージに含まれる名前が表示可能な表示手段と、
通信相手ごとに、その電話番号と、名前とを対応付けた電話帳データを記憶する記憶手段と、
着信時に、前記記憶手段に記憶される情報を検索し、ネットワークから受信した前記メッセージに含まれる電話番号に一致する電話帳データを検出する検出手段と、
この検出手段にて検出した電話帳データが複数存在する場合には、前記メッセージに含まれる名前を前記表示手段に表示しないように制御するとともに、前記検出手段にて検出した電話帳データの名前を表示するように制御する制御手段とを具備することを特徴とする通信端末装置。
【請求項２】
発信者の電話番号と名前とを含むメッセージを着信信号を用いて通知するネットワークで用いられる通信端末装置において、
前記メッセージに含まれる名前が表示可能な表示手段と、
通信相手ごとに、その電話番号と、名前とを対応付けた電話帳データを記憶する記憶手段と、
着信時に、前記記憶手段に記憶される情報を検索し、ネットワークから受信した前記メッセージに含まれる電話番号を含む電話番号の電話帳データを検出する検出手段と、
この検出手段にて検出した電話帳データが１つの場合には、電話帳データの名前を前記表示手段に表示するように制御し、一方、前記検出手段にて検出した電話帳データが複数存在する場合には、前記メッセージに含まれる名前を前記表示手段に表示するように制御する制御手段とを具備することを特徴とする通信端末装置。
【発明の詳細な説明】
【０００１】
【発明の属する技術分野】
この発明は、例えばＣＤＭＡ（Ｃｏｄｅ  Ｄｉｖｉｓｉｏｎ  Ｍｕｌｔｉｐｌｅ  Ａｃｃｅｓｓ）  ｓｔａｎｄａｒｄ，ＩＳ−９５Ｂといった通信プロトコルを採用するシステムのように、ネットワークから、発信者の電話番号の情報や、この電話番号に対応する表示情報を受信して表示する機能を備えた通信端末装置に関する。
【０００２】
【従来の技術】
例えば、ＣＤＭＡ（Ｃｏｄｅ  Ｄｉｖｉｓｉｏｎ  Ｍｕｌｔｉｐｌｅ  Ａｃｃｅｓｓ）  ｓｔａｎｄａｒｄ，ＩＳ−９５Ｂに代表される通信プロトコルを採用するシステムでは、通信端末装置が、着信時に移動通信網から、発信者の電話番号の情報（Ｃａｌｌｉｎｇ  Ｐａｒｔｙ  Ｎｕｍｂｅｒ）や、この電話番号に対応する表示情報（Ｅｘｔｅｎｄｅｄ  Ｄｉｓｐｌａｙ）を受信し、これらの情報を表示するネットワーク情報表示機能を備える。
【０００３】
しかしながら、この端末内情報表示機能を用いる場合、ユーザが望まない表示情報についても表示してしまう虞があるという問題がある。
このため、上記端末内情報表示機能を用いないように設定することも可能であるが、このような設定を行うと、必要な情報まで表示しなくなってしまうため、利便性に問題がある。
【０００４】
【発明が解決しようとする課題】
従来の通信端末装置では、移動通信網から通知される表示情報をユーザの意志に従って表示することができないため、利便性が低いという問題があった。
この発明は上記の問題を解決すべくなされたもので、移動通信網から通知される表示情報を、ユーザの意志に従い発信者に応じて表示することを可能とするなど、利便性が高い通信端末装置を提供することを目的とする。
【０００５】
【課題を解決するための手段】
上記の目的を達成するために、請求項１に係わる本発明は、発信者の電話番号と名前とを含むメッセージを着信信号を用いて通知するネットワークで用いられる通信端末装置において、メッセージに含まれる名前が表示可能な表示手段と、通信相手ごとに、その電話番号と、名前とを対応付けた電話帳データを記憶する記憶手段と、着信時に、記憶手段に記憶される情報を検索し、ネットワークから受信したメッセージに含まれる電話番号に一致する電話帳データを検出する検出手段と、この検出手段にて検出した電話帳データが複数存在する場合には、メッセージに含まれる名前を表示手段に表示しないように制御するとともに、検出手段にて検出した電話帳データの名前を表示するように制御する制御手段とを具備して構成するようにした。
【０００９】
上記構成の通信端末装置では、ネットワークから受信したメッセージに含まれる電話番号に一致する電話帳データが複数存在する場合には、メッセージに含まれる名前を表示手段に表示しないで、検出した複数の電話帳データの名前を表示するようにしている。
【００１０】
したがって、上記構成の通信端末装置によれば、メッセージで通知された電話番号に一致する複数の電話帳データの名前がすべてを表示されて、それらを認識できるので、利便性が高い。
【００１１】
また、請求項２に係わる本発明は、発信者の電話番号と名前とを含むメッセージを着信信号を用いて通知するネットワークで用いられる通信端末装置において、メッセージに含まれる名前が表示可能な表示手段と、通信相手ごとに、その電話番号と、名前とを対応付けた電話帳データを記憶する記憶手段と、着信時に、記憶手段に記憶される情報を検索し、ネットワークから受信したメッセージに含まれる電話番号を含む電話番号の電話帳データを検出する検出手段と、この検出手段にて検出した電話帳データが１つの場合には、電話帳データの名前を前記表示手段に表示するように制御し、一方、検出手段にて検出した電話帳データが複数存在する場合には、メッセージに含まれる名前を表示手段に表示するように制御する制御手段とを具備して構成するようにした。
【００１２】
上記構成の通信端末装置では、ネットワークから受信したメッセージに含まれる電話番号を含む電話番号の電話帳データを検出し、この検出した電話帳データが１つの場合には、電話帳データの名前を表示手段に表示するように制御し、一方、検出した電話帳データが複数存在する場合には、メッセージに含まれる名前を表示手段に表示するようにしている。
【００１３】
したがって、上記構成の通信端末装置によれば、複数の電話帳データが部分的に一致する場合に、電話帳データに基づいて名前を表示すると、必ずしも発信者を表す表示を行えない虞があるが、ネットワークから受信したメッセージに含まれる名前を表示することにより、誤った表示を行うことが防止できる。
【００１７】
【発明の実施の形態】
以下、図面を参照して、この発明の一実施形態ついて説明する。
図１は、この発明の一実施形態に関わる移動通信システムの概略構成図である。このシステムは、移動通信網３００と、複数の基地局２０１〜２０ｎと、複数の移動通信端末装置１０１，１０２とを備える。
【００１８】
上記基地局２０１〜２０ｎは、サービスエリアに分散して配置され、それぞれセルと呼ばれる無線エリアを形成し、無線エリア内に位置する移動通信端末装置１０１，１０２と無線通信する。
【００１９】
移動通信網３００は、交換設備を備える。
この交換設備は、上記基地局２０１〜２０ｎを有線回線を介して収容するとともに、図示しない公衆通信網を収容する。なお、この公衆通信網には、ＰＳＴＮやＩＳＤＮ等の公衆電話網やインターネットなどのコンピュータネットワークが含まれる。
【００２０】
そして、移動通信網３００は、上記交換設備により、上記移動通信端末装置１０１，１０２相互間、または移動通信端末装置１０１，１０２と公衆通信網に接続される他の通信装置（図示せず）との間を交換接続する。
【００２１】
移動通信端末装置１０１，１０２は、上記無線エリア内において、無線チャネルを介して基地局２０１〜２０ｎに接続し、この基地局２０１〜２０ｎを通じて移動通信網３００を介した通信を行う。
【００２２】
また、上記移動通信網３００は、着信時に、着信信号を通じて所定の着信メッセージ（以下、単にメッセージと称する）を上記移動通信端末装置１０１，１０２に通知するサービス機能を備える。メッセージは、図２に示すように、発信者の電話番号の情報を含むＣＰＮ（Ｃａｌｌｉｎｇ  Ｐａｒｔｙ  Ｎｕｍｂｅｒ）情報と、この電話番号に対応する例えば契約者名や屋号などの表示情報を含むＥＤ（Ｅｘｔｅｎｄｅｄ  Ｄｉｓｐｌａｙ）情報とからなる。
【００２３】
このサービス機能は、例えば移動通信端末装置１０１が他の移動通信端末装置１０２に宛てた発信を行うと、これを検出した移動通信網３００が、上記メッセージを作成し、これを着信信号と共に着信先の移動通信端末装置１０２に送信するものである。
なお、ＥＤ情報は、例えば通信事業者（キャリア）が備えている加入者データベースに基づいて、移動通信網３００にて作成される。
【００２４】
次に、上記移動通信端末装置１０１，１０２の構成について説明する。図３は、その構成を示すブロック図である。
基地局２０１〜２０ｎから送信された無線信号（ｒａｄｉｏ  ｓｉｇｎａｌ）は、アンテナ１で受信されたのち、アンテナ共用器（ＤＵＰ）２を介して受信回路（ＲＸ）３に入力される。
【００２５】
受信回路３では、上記無線信号が中間周波信号にダウンコンバートされる。このダウンコンバートは、上記無線信号と周波数シンセサイザ（ＳＹＮ）４から出力された受信局部発振信号とをミキシングすることによりなされる。なお、上記周波数シンセサイザ４から発生される受信局部発振信号の周波数は、制御部１２から出力される制御信号ＳＹＣによって決定される。
【００２６】
上記受信回路３から出力された受信中間周波信号は、ＣＤＭＡ信号処理部６に入力される。ＣＤＭＡ信号処理部６では、先ず上記受信中間周波信号を拡散符号により逆拡散する。
【００２７】
続いて、この逆拡散された受信中間周波信号を、例えばＱＰＳＫ変調方式に対応する復調方式により復調することにより、データレートに応じた復調データに変換する。この復調データは、圧縮伸張処理部（コンプレッサ／エキスパンダ）（以後コンパンダと称する）７に入力される。
【００２８】
コンパンダ７は、上記ＣＤＭＡ信号処理部６から出力された復調データに対し、先ず制御部１２から通知される受信データレートに応じた伸長処理を施す。次に、この伸張された復調データに対し、例えばビタビ復号方式を用いた誤り訂正復号処理を行うことにより、ベースバンドの受信スピーチデータや受信パケットデータ、着信時に受信するメッセージを再生する。
【００２９】
そして、受信スピーチデータをＰＣＭ符号復号処理部（ＰＣＭコーダ／デコーダ）（以後ＰＣＭコーデックと称する）８に出力し、また電子メールなどの受信パケットデータやメッセージについては制御部１２に出力する。
【００３０】
ＰＣＭコーデック８は、コンパンダ７から出力された受信スピーチデータをＰＣＭ復号してアナログスピーチ信号を出力する。このアナログスピーチ信号は、受話増幅器９ａにて増幅されたのちスピーカ１０より拡声出力される。
【００３１】
一方、通話時においてマイクロホン１１に入力されたユーザのスピーチ信号は、送話増幅器９ｂにより適正レベルまで増幅されたのち、ＰＣＭコーデック８にてＰＣＭ符号化され、送信音声データとなってコンパンダ７に入力される。また、制御部１２において作成された電子メールなどのパケットデータは、制御部１２からコンパンダ７に入力される。
【００３２】
コンパンダ７は、ＰＣＭコーデック８から出力された送信スピーチデータより入力音声のエネルギー量を検出し、この検出結果に基づいてデータレートを決定する。
【００３３】
そして、上記送信スピーチデータを上記データレートに応じたフォーマットの信号に圧縮し、さらに誤り訂正符号化処理を施したのちＣＤＭＡ信号処理部６へ出力する。
【００３４】
これに対し、パケットデータ送信時には、制御部１２から出力された送信パケットデータに対し誤り訂正符号化処理を施してＣＤＭＡ信号処理部６へ出力する。
【００３５】
ＣＤＭＡ信号処理部６は、上記コンパンダ７において圧縮された送信データを先ず例えばＱＰＳＫ変調方式により変調する。次に、この変調された送信データに対して、送信チャネルごとに割り当てられた拡散符号を用いてスペクトラム拡散処理を施す。そして、この拡散符号化された送信中間周波信号を送信回路（ＴＸ）５へ出力する。
【００３６】
送信回路５は、上記拡散符号化された送信中間周波信号を、周波数シンセサイザ４から発生される送信局部発振信号と合成することにより、無線信号にアップコンバートする。
【００３７】
そして、送信回路５は、制御部１２により通知される送信データレートに基づいて、上記無線信号の有効部分だけを高周波増幅し、送信無線信号として出力する。
【００３８】
この送信回路５から出力された送信無線信号は、アンテナ共用器２を介してアンテナ１に供給され、このアンテナ１から接続先の基地局へ向け送信される。
【００３９】
入力部１４には、ダイヤルキーの他に、ユーザから発信、終話、電源のＯＮ／ＯＦＦ、音量調節、モード指定などを要求を受け付けるキーが設けられている。また表示部１５には、ＬＣＤ表示器やＬＥＤランプが設けられている。
【００４０】
このＬＣＤ表示器には、前述のメッセージにより通知された発信者の電話番号と名前、後述する電話帳データとして記憶される情報、自端末の動作状態を表す情報、送受信メールなどが表示可能である。
【００４１】
またＬＥＤランプは、バッテリ１６のＤｉｓｃｈａｒｇｅ  状態を表示するために使用される。なお、１７は電源回路であり、バッテリ１６の出力をもとに所定の動作電源電圧Ｖｃｃを生成して各回路部に供給する。
【００４２】
記憶部１３は、例えばＲＯＭやＲＡＭなどの半導体メモリを記憶媒体としたもので、この記憶媒体には、名前と電話番号、電子メールアドレス、シークレットフラグを対応づけた電話帳データや、受信電子メール、送信電子メールなどを記憶し、これらは制御部１２によって読み書きされる。
【００４３】
着信報知部９ｂは、当該端末装置宛てに着信があった場合に、制御部１２の制御によりユーザに対して着信を報知するもので、可聴音を発して報知を行なう発音体１８１と、発光により報知を行なう発光体１８２と、例えば偏心モータなどにより振動を発生して報知を行なう振動体１８３とからなる。
【００４４】
制御部１２は、ＣＰＵ、ＲＯＭおよびＲＡＭなどを有してなるものであり、上記ＣＰＵが上記ＲＯＭに記憶される制御プログラムや制御データに従って、当該移動無線端末装置の各部を統括して制御するものである。
【００４５】
その主たる制御としては、受信回路３、周波数シンセサイザ４、送信回路５およびＣＤＭＡ信号処理部６を制御して、基地局２０１〜２０ｎとの間にＣＤＭＡ方式の無線通信による通信リンクを開設し、基地局２０１〜２０ｎが収容される移動通信網を通じて通信を行なう通信制御がある。
【００４６】
また、制御部１２は、上記コンパンダ７から出力された電子メールなどの受信パケットデータをデ・パケットし、これを記憶部１３に記録するパケットデータ受信制御機能や、ユーザから入力部１４を通じて文字情報の入力を受け付けて、送信電子メールを作成し、これを記憶部１３に記録する電子メール作成制御機能、ユーザの送信要求に応じて記憶部１３に記録された送信電子メールを送信パケットデータに変換して、コンパンダ７に出力するパケットデータ送信制御機能、入力部１４を通じたユーザからの要求に応じて、記憶部１３に記録された電子メールを表示部１５に表示する表示制御機能、記憶部１３に記憶される電話帳データを編集する編集制御機能、種々の設定を入力部１４を通じてユーザから受け付け、受け付けた設定を記憶部１３に記録する設定受け付け機能などを備える。
【００４７】
また、制御部１２は、新たな制御機能として、コンパンダ７にて再生したメッセージと、記憶部１３に記憶される電話帳データとに基づいて、着信時に表示部１５に表示する情報を制御する着信表示情報制御機能を備える。
【００４８】
次に、上記構成の移動無線端末装置１０１，１０２の動作について説明する。なお、以下の説明では、この発明に係わる、着信時に表示部１５に表示する情報を制御について説明し、基地局との間の通信制御など、従来と同様の他の構成の動作についての説明は省略する。
【００４９】
上記制御は、制御部１２によってなされる。図４は、この制御を示すものである。この図に示す処理は、当該移動無線端末装置宛ての着信信号を受信すると実行される。
【００５０】
なお、以下の説明では、記憶部１３の電話帳データとして、図５に示すようなデータが記録されていたものとする。図５では、説明を簡明にするために、電子メールアドレスについては示していない。
【００５１】
まず、ステップ４ａでは、着信信号とともに受信したメッセージをコンパンダ７から取得し、ステップ４ｂに移行する。
ステップ４ｂでは、上記メッセージのＣＰＮ情報を参照し、この情報で示される電話番号を含むものを、記憶部１３の電話帳データから検出し、ステップ４ｃに移行する。
【００５２】
なお、メッセージのＣＰＮ情報で報知される電話番号の桁数は、市外局番の有無などにより７桁か１０桁であり、必ずしも一定の桁数ではないため、ステップ４ｂでは、ＣＰＮ情報で報知される電話番号が７桁の場合、この番号を下７桁に含むものをすべて検出する。
【００５３】
すなわち、ステップ４ｂでは、例えば図５の例で、上記ＣＰＮ情報で報知される電話番号が７桁の列「３３３３３３３」の場合、下７桁がこれに一致する「ジロウ」、「サブロウ」、「シロウ」の電話帳データが検出されることになる。
【００５４】
ステップ４ｃでは、ステップ４ｂの検出結果に基づいて、ＣＰＮ情報の電話番号に一致するものが、記憶部１３の電話帳データに存在する場合には、ステップ４ｄに移行し、一方、存在しない場合には、ステップ４ｋに移行する。
【００５５】
ステップ４ｄでは、ステップ４ｂで検出した電話帳データが、複数あるか否かを判定する。
ここで、ステップ４ｂで検出した電話帳データが、複数ある場合には、ステップ４ｆに移行し、一方、複数存在しない、すなわち、１つだけの場合には、ステップ４ｅに移行する。
【００５６】
ステップ４ｅでは、ＣＰＮ情報の電話番号に一致した１つの電話帳データを参照し、これに対応づけられたシークレットフラグが「１」となっているか否か、すなわち、ＣＰＮ情報の電話番号に一致した電話帳データにシークレット設定がなされているか否かを判定する。
【００５７】
ここで、シークレット設定「１」がなされている場合には、ステップ４ｐに移行し、一方、シークレット設定がなされていない、すなわち「０」が設定されている場合には、ステップ４ｍに移行する。
【００５８】
一方、ステップ４ｆでは、ＣＰＮ情報の電話番号の桁数が、１０桁であるか否かを判定する。この判定により、部分的な一致（７桁一致）なのか、全桁が一致（１０桁一致）しているのかを判定する。
【００５９】
ここで、ＣＰＮ情報の電話番号の桁数が１０桁である場合には、ステップ４ｉに移行し、一方、ＣＰＮ情報の電話番号の桁数が１０桁でない、すなわち、７桁の場合には、ステップ４ｇに移行する。
【００６０】
すなわち、図５の例では、ステップ４ｉに移行する場合は、ＣＰＮ情報で報知される電話番号が１０桁の番号「６６６６６６６６６６」であった場合であり、「タナカ」と「アキラ」が該当する電話帳データである。
【００６１】
そして、ステップ４ｇに移行する場合は、ＣＰＮ情報で報知される電話番号が７桁の番号「３３３３３３３」であった場合であり、「ジロウ」、「サブロウ」および「シロウ」が該当する電話帳データである。
【００６２】
一方、ステップ４ｇでは、ステップ４ｂにて検出され、互いに７桁の同一電話番号を有する複数の電話帳データをすべて読み出す。
前述したように、図５の例では、「ジロウ」、「サブロウ」および「シロウ」の電話帳データがこれに相当する。
【００６３】
ステップ４ｈでは、ステップ４ｇで読み出した複数の電話帳データを参照し、これらに対応づけられたシークレットフラグに１つでも「１」が設定されているか否か、すなわち、ＣＰＮ情報の電話番号に一致した電話帳データにシークレット設定がなされているものが１つでもあるか否かを判定する。
【００６４】
ここで、シークレット設定「１」が１つでもある場合には、ステップ４ｐに移行し、一方、シークレット設定がなされていない、すなわちすべてに「０」が設定されている場合には、ステップ４ｎに移行する。
【００６５】
ステップ４ｉでは、ステップ４ｂにて検出され、互いに１０桁の同一電話番号を有する複数の電話帳データをすべて読み出す。
前述したように、図５の例では、「タナカ」と「アキラ」の電話帳データがこれに相当する。
【００６６】
このように、１０桁の同一番号が異なる名前で登録される場合の原因としては、当該通信端末装置のユーザが、「タナカ  アキラ」なる１人の人物を「タナカ」と「アキラ」といった異なる名前でそれぞれ電話帳データに登録してしまったか、あるいは同じ会社や組織などの電話番号を「タナカ」という人物名（あるいは会社名や組織名）と、「アキラ」という人物名で別々にで登録した場合が考えられる。
【００６７】
ステップ４ｊでは、ステップ４ｉで読み出した複数の電話帳データを参照し、これらに対応づけられたシークレットフラグに１つでも「１」が設定されているか否か、すなわち、ＣＰＮ情報の電話番号に一致した電話帳データにシークレット設定がなされているものが１つでもあるか否かを判定する。
【００６８】
ここで、シークレット設定「１」が１つでもある場合には、ステップ４ｐに移行し、一方、シークレット設定がなされていない、すなわちすべてに「０」が設定されている場合には、ステップ４ｏに移行する。
【００６９】
ステップ４ｋでは、ステップ４ｂにて１つも該当する電話帳データが検出されないため、ステップ４ａで取得したメッセージのＣＰＮ情報の電話番号に、上記メッセージのＥＤ情報を名前として対応づけて、電話帳データに登録し、ステップ４ｌに移行する。
【００７０】
ステップ４ｌでは、ステップ４ｋにて新規に登録された電話帳情報があった場合に、その内容の表示を許可する設定がなされているか否かを判定する。なお、この設定は、入力部１４を通じて、着信に先立って予め設定されるもので、その情報は、記憶部１３に記憶される。
【００７１】
ここで、表示を許可する設定がなされている場合には、ステップ４ｎに移行し、一方、表示を許可しない設定がなされている場合には、ステップ４ｐに移行する。
【００７２】
ステップ４ｍでは、表示部１５を制御して、ステップ４ａで取得したメッセージのＣＰＮ情報の電話番号と、この電話番号に一致する電話帳データの名前とを表示して、着信の発生を報知する。この表示制御は、着信が終了するか、ユーザが着信に応答するまで実施される。
【００７３】
一方、ステップ４ｎでは、表示部１５を制御して、ステップ４ａで取得したメッセージのＣＰＮ情報の電話番号と、上記メッセージのＥＤ情報の表示情報とを表示して、着信の発生を報知する。この表示制御は、着信が終了するか、ユーザが着信に応答するまで実施される。
【００７４】
そして、ステップ４ｏでは、表示部１５を制御して、ステップ４ａで取得したメッセージのＣＰＮ情報の電話番号を表示するとともに、ステップ４ｉで選択された複数の電話帳データの名前を一括して表示する。この表示制御は、着信が終了するか、ユーザが着信に応答するまで実施される。
【００７５】
また、ステップ４ｐでは、表示部１５を制御して、ステップ４ａで取得したメッセージのＣＰＮ情報の電話番号を表示して、着信の発生を報知し、上記メッセージのＥＤ情報の表示情報や電話帳データの名前など、発信者を特定するような情報の表示は行わない。この表示制御は、着信が終了するか、ユーザが着信に応答するまで実施される。
【００７６】
なお、制御部１２は、着信時には、上述した表示部１５の表示制御と並行して、ユーザによって入力部１４を通じて予めなされた設定に応じて、着信報知部１８を制御して、着信発生をユーザに報知する。
【００７７】
以上のように、上記構成の通信端末装置では、電話帳データにおいてシークレット設定がなされていない相手からの着信の場合、着信信号とともに受信したメッセージのＣＰＮ情報の電話番号とＥＤ情報の表示情報とを表示部１５に表示して着信の発生を報知し、一方、電話帳データにおいてシークレット設定がなされた相手からの着信の場合には、上記ＣＰＮ情報の電話番号およびＥＤ情報の表示情報のいずれも表示部１５に表示せずに、着信を報知するようにしている。
【００７８】
したがって、上記構成の通信端末装置によれば、移動通信網から通知される表示情報を、ユーザのシークレットフラグの設定に従い、発信者に応じて表示、あるいは非表示することができるので、ユーザがシークレット設定を電話帳データに行うことで、発信者を特定するような情報（ＥＤ情報）を表示しないようにできる。
【００７９】
また、上記構成の通信端末装置では、ＣＰＮ情報で通知された電話番号に一致する電話番号の電話帳データが複数存在する場合には、上記ＣＰＮ情報に併せて通知されたＥＤ情報の表示情報を表示しないで、ＣＰＮ情報で通知された電話番号に一致する複数の電話帳データの名前、すべてを表示するようにしている。
【００８０】
したがって、上記構成の通信端末装置によれば、例えば同じ取引先の電話番号を複数の担当者名などで登録した場合などに、着信時において、ＥＤ情報で通知される会社名などを表示するのではなく、複数登録される電話帳データの名前が一覧表示されることになり、実用上の利用価値が高い。
【００８１】
さらに、上記構成の通信端末装置では、ＣＰＮ情報で通知された７桁の電話番号に一致する電話番号の電話帳データが複数存在する場合には、上記ＣＰＮ情報に併せて通知されたＥＤ情報の表示情報を表示するようにしている。
【００８２】
したがって、上記構成の通信端末装置によれば、複数の電話帳データが部分的に一致する場合に、電話帳データに基づいて名前を表示すると、必ずしも発信者を表す表示を行えない虞があるが、ＥＤ情報の表示情報を表示することにより、誤った表示を行うことが防止できる。
【００８３】
そして、上記構成の通信端末装置では、ＣＰＮ情報で通知された電話番号に一致する電話番号の電話帳データが存在しない場合には、ＣＰＮ情報で通知された電話番号に対応づけて、これに併せて通知されたＥＤ情報の表示情報を名前として電話帳データに登録するようにしている。
【００８４】
したがって、上記構成の通信端末装置によれば、電話帳データに登録していない発信者であっても、着信を受け付けることで電話帳データとして自動登録されるので、利便性が向上する。
【００８５】
そしてまた、上記電話帳データの自動登録は、ユーザの設定により、自動登録された内容を表示したり、あるいは非表示にすることができ、非表示の場合には、周囲に悟られることなく電話帳データへの登録を行うことができる。
【００８６】
尚、この発明は上記実施の形態に限定されるものではない。
例えば、上記実施の形態では、ＣＰＮ情報で報知される電話番号の桁数を７桁か１０桁の２タイプとしたが、７桁、８桁か１０桁の３タイプ、あるいはそれ以上のタイプ数の場合にも適用でき、同様の効果を得られる。
【００８７】
また、上記実施の形態では、ステップ４ｊおよびステップ４ｐの処理により、ステップ４ｉで読み出した複数の電話帳データのうち、シークレット設定がなされているものが１つでもある場合には、名前の表示を行わないようにした。
【００８８】
これに代わって例えば、ステップ４ｊ、ステップ４ｏおよびステップ４ｐの処理により、ステップ４ｉで読み出した複数の電話帳データのうち、シークレット設定がなされているものについてのみ非表示とし、シークレット設定がなされていないものについては、電話帳データの名前の表示を行うようにしてもよい。  その他、この発明の要旨を逸脱しない範囲で種々の変形を施しても同様に実施可能であることはいうまでもない。
【００８９】
【発明の効果】
以上述べたように、この発明では、ネットワークから受信したメッセージに含まれる電話番号に一致する電話帳データが複数存在する場合には、メッセージに含まれる名前を表示手段に表示しないで、検出した複数の電話帳データの名前を表示するようにしている。
【００９２】
したがって、この発明によれば、メッセージで通知された電話番号に一致する複数の電話帳データの名前がすべてを表示されて、それらを認識できるので、利便性が高い通信端末装置を提供できる。
【００９３】
また、この発明では、ネットワークから受信したメッセージに含まれる電話番号を含む電話番号の電話帳データを検出し、この検出した電話帳データが１つの場合には、電話帳データの名前を表示手段に表示するように制御し、一方、検出した電話帳データが複数存在する場合には、メッセージに含まれる名前を表示手段に表示するようにしている。
【００９４】
したがって、この発明によれば、複数の電話帳データが部分的に一致する場合に、電話帳データに基づいて名前を表示すると、必ずしも発信者を表す表示を行えない虞があるが、ネットワークから受信したメッセージに含まれる名前を表示することにより、誤った表示を行うことが防止可能な通信端末装置を提供できる。
【図面の簡単な説明】
【図１】この発明に係わる通信端末装置が用いられる移動通信システムの構成を示す図。
【図２】図１に示した移動通信網から通信端末装置に送られるメッセージの一例を示す図。
【図３】この発明に係わる通信端末装置の構成を示す回路ブロック図。
【図４】図３に示した通信端末装置の着信時の表示制御を説明するためのフローチャート。
【図５】図３に示した通信端末装置の記憶部に記憶される電話帳データの一例を示す図。
【符号の説明】
１…アンテナ
２…アンテナ共用器（ＤＵＰ）
３…受信回路（ＲＸ）
４…周波数シンセサイザ（ＳＹＮ）
５…送信回路（ＴＸ）
６…ＣＤＭＡ信号処理部
７…圧縮伸張処理部（コンパンダ）
８…ＰＣＭ符号処理部（コーデック）
９ａ…受話増幅器
９ｂ…送話増幅器
１０…スピーカ
１１…マイクロホン
１２…制御部
１３…記憶部
１４…入力部
１５…表示部
１６…バッテリ
１７…電源回路
１８…着信報知部
１８１…発音体
１８２…発光体
１８３…振動体
【図１】
0003581353.tif 000002
【図２】
0003581353.tif 000003
【図３】
0003581353.tif 000004
【図４】
0003581353.tif 000005
【図５】
0003581353.tif 000006